(57)【要約】【課題】ユーザの利便性を向上させることができるタンクローリを提供すること。【解決手段】固定具５は、スコップＳの握り部Ｓ２を保持可能に構成される保持部材６０を備え、保持部材６０は、握り部Ｓ２を取り囲む態様で保持可能に構成される保持部６１と、握り部Ｓ２の軸方向周りに回転し保持部６１の保持空間を開閉可能に構成される開閉部６４と、その開閉部６４の閉鎖状態をロックするキャッチクリップ６５と、を備えるので、キャッチクリップ６５によるロック状態を解除して開閉部６４を回転させることにより、保持部６１の保持空間を開閉部６４によって開閉することができる。これにより、ユーザの要望に応じて様々なスコップＳを固定具５によって保持することができるので、ユーザの利便性が向上するという効果がある。【選択図】図２
2020029107.tif 000002
【特許請求の範囲】
【請求項１】
所定の固定面にスコップを固定するための固定具を備え、前記固定具が、前記スコップのさじ部が挿入可能に構成される被挿入部材を備えるタンクローリにおいて、
前記固定具は、前記スコップの握り部を保持可能に構成される保持部材を備え、
前記保持部材は、前記握り部を取り囲む態様で保持可能に構成される保持部と、前記握り部の軸方向周りに回転し前記保持部の保持空間を開閉する開閉部と、その開閉部の閉鎖状態をロックするロック部と、を備えることを特徴とするタンクローリ。
【請求項２】
前記保持部材は、前記保持部に接続されると共に前記保持空間の外方側で前記保持部材を前記固定面に固定するための被固定部を備えることを特徴とする請求項１記載のタンクローリ。
【請求項３】
前記保持部は、前記被挿入部材側とは反対となる一端側が開放する形状に形成され、
前記被固定部は、前記保持部の一端から前記被挿入部材側とは反対側に延び、
前記保持部または前記被固定部に前記開閉部が軸支されることを特徴とする請求項２記載のタンクローリ。
【請求項４】
前記開閉部は、前記閉鎖状態において前記被固定部から前記固定面側とは反対側に延びる第１壁部と、その第１壁部の延設先端側から前記保持空間とは反対側に延びる第２壁部と、その第２壁部の延設先端側から前記被固定部側に延びると共に前記被固定部に軸支される第３壁部と、を備えることを特徴とする請求項３記載のタンクローリ。
【請求項５】
前記被挿入部材から前記保持部材にかけて延設されると共にそれら被挿入部材および保持部材をそれぞれ支持する支持部材を備えることを特徴とする請求項１から４のいずれかに記載のタンクローリ。
【請求項６】
前記被挿入部材および前記保持部材の対向間隔が可変に構成されることを特徴とする請求項１から５のいずれかに記載のタンクローリ。
【発明の詳細な説明】
【技術分野】
【０００１】
本発明は、タンクローリに関し、特に、ユーザの利便性を向上させることができるタンクローリに関する。
【背景技術】
【０００２】
艤装品としてスコップ（例えば、雪かき用のもの）が設けられるタンクローリが知られている。従来のタンクローリは、例えば、特許文献１に記載される掛止部材（断面略円形状の把持部を備えるもの）のようなＣ形の固定具によってスコップの軸部や握り部を固定する構成であった。
【先行技術文献】
【特許文献】
【０００３】
【特許文献１】特開昭５２−１１２９２９号公報（例えば、第２図）
【発明の概要】
【発明が解決しようとする課題】
【０００４】
しかしながら、上述した従来の技術では、スコップの軸部や握り部の直径が固定具の内径よりも小さ過ぎる場合には、固定具からスコップが脱落しやすくなる。また、軸部や握り部の直径が固定具の内径よりも大き過ぎる場合には、力を加えてスコップを着脱する必要があり、着脱が容易ではない。よって、固定具に適切に固定できるスコップが限定され、ユーザが希望するスコップを使えないことがあるという問題点があった。
【０００５】
本発明は、上述した問題点を解決するためになされたものであり、ユーザの利便性を向上させることができるタンクローリを提供することを目的としている。
【課題を解決するための手段】
【０００６】
この目的を達成するために本発明のタンクローリは、所定の固定面にスコップを固定するための固定具を備え、前記固定具が、前記スコップのさじ部が挿入可能に構成される被挿入部材を備えるものであり、前記固定具は、前記スコップの握り部を保持可能に構成される保持部材を備え、前記保持部材は、前記握り部を取り囲む態様で保持可能に構成される保持部と、前記握り部の軸方向周りに回転し前記保持部の保持空間を開閉可能に構成される開閉部と、その開閉部の閉鎖状態をロックするロック部と、を備える。
【発明の効果】
【０００７】
請求項１記載のタンクローリによれば、固定具は、スコップの握り部を保持可能に構成される保持部材を備え、保持部材は、握り部を取り囲む態様で保持可能に構成される保持部と、握り部の軸方向周りに回転し保持部の保持空間を開閉可能に構成される開閉部と、その開閉部の閉鎖状態をロックするロック部と、を備えるので、ロック部によるロック状態を解除して開閉部を握り部の軸方向周りに回転させることにより、保持部の保持空間を開閉部によって開閉することができる。
【０００８】
これにより、所定の直径の握り部を保持可能な保持空間を保持部によって形成すれば、その所定の直径よりも握り部の直径が小さい場合でも、保持部から握り部が脱落することを抑制できる。また、所定の直径よりも握り部の直径が大きい場合でも、保持部の保持空間に収容可能な直径であれば、保持部に握り部を保持させることができる。更に、開閉部を開放させた状態で握り部を着脱できるので、力を入れて握り部を着脱することを不要にできる。よって、ユーザの利便性が向上するという効果がある。
【０００９】
請求項２記載のタンクローリによれば、請求項１記載のタンクローリの奏する効果に加え、保持部材は、保持部に接続されると共に保持空間の外方側で固定面に固定される被固定部を備えるので、保持部の保持空間の外方側において、連結部材によって被固定部を固定面に固定することができる。よって、保持部に保持される握り部に被固定部が接触することを抑制できるので、握り部に傷が生じることを抑制できるという効果がある。
【００１０】
請求項３記載のタンクローリによれば、請求項２記載のタンクローリの奏する効果に加え、保持部は、被挿入部材側とは反対となる一端側が開放する形状に形成され、被固定部は、保持部の一端側から被挿入部材側とは反対側に延び、保持部または被固定部に開閉部が軸支されるので、保持部、被固定部、開閉部、及び、ロック部をユニット化することができる。これにより、そのユニット（保持部材）を予め組み立てた状態で固定面側に固定することができるので、保持部材の固定面側への固定を容易に行うことができるという効果がある。
【００１１】
請求項４記載のタンクローリによれば、請求項３記載のタンクローリの奏する効果に加え、開閉部は、その閉鎖状態において被固定部から固定面側とは反対側に延びる第１壁部と、その第１壁部から保持空間とは反対側に延びる第２壁部と、その第２壁部の延設先端側から被固定部側に延びると共に被固定部に軸支される第３壁部と、を備えるので、第２壁部および第３壁部によって第１壁部の回転軸を被固定部の一端側に位置させることができる。
【００１２】
これにより、第１壁部を挟んで保持空間とは反対側に第１壁部の回転軸を位置させることができるので、握り部の当接によって第１壁部が回転した場合に、その第１壁部の回転に握り部を干渉させることができる。よって、例えば、ロック部によるロックが解除された状態であっても、握り部の変位によって第１壁部の閉鎖状態が解除されることを抑制できるので、保持部材から握り部が抜け落ちることを抑制できるという効果がある。
【００１３】
請求項５記載のタンクローリによれば、請求項１から４のいずれかに記載のタンクローリの奏する効果に加え、被挿入部材から保持部材にかけて延設されると共にそれら被挿入部材および保持部材をそれぞれ支持する支持部材を備えるので、固定面が非連続（断続的）である場合であっても、支持部材によって被挿入部材および保持部材を固定面に固定することができるという効果がある。
【００１４】
請求項６記載のタンクローリによれば、請求項１から５のいずれかに記載のタンクローリの奏する効果に加え、被挿入部材および保持部材の対向間隔が可変に構成されるので、スコップの長さに対応した位置に被挿入部材および保持部材を配設することができる。よって、長さの異なるスコップを被挿入部材および保持部材によって保持することができるという効果がある。
【図面の簡単な説明】
【００１５】
【図１】本発明の第１実施形態におけるタンクローリの側面図である。
【図２】（ａ）は、図１のＩＩａ部分を拡大したタンクローリの部分拡大図側面図であり、（ｂ）は、図２（ａ）の矢印ＩＩｂ方向視におけるタンクローリの部分拡大上面図である。
【図３】（ａ）は、図２（ａ）のＩＩＩａ−ＩＩＩａ線におけるタンクローリの部分拡大断面図であり、（ｂ）は、図２（ａ）のＩＩＩｂ部分を拡大した固定具の部分拡大側面図である。
【図４】（ａ）は、スコップのさじ部を被挿入部材に挿入した状態を示す固定具の側面図であり、（ｂ）は、スコップの握り部を保持部材に保持した状態を示す固定具の側面図である。
【図５】（ａ）は、第２実施形態におけるタンクローリの部分拡大側面図であり、（ｂ）は、スコップの握り部を保持空間に挿入する様子を示す固定具の部分拡大側面図である。
【図６】（ａ）は、第３実施形態における固定具の部分拡大側面図であり、（ｂ）は、スコップの握り部を保持空間に挿入する様子を示す固定具の部分拡大側面図である。
【発明を実施するための形態】
【００１６】
以下、本発明の好ましい実施の形態について、添付図面を参照して説明する。まず、図１及び図２を参照して、タンクローリ１の全体構成について説明する。図１は、第１実施形態におけるタンクローリ１の側面図である。図２（ａ）は、図１のＩＩａ部分を拡大したタンクローリ１の部分拡大図側面図であり、図２（ｂ）は、図２（ａ）の矢印ＩＩｂ方向視におけるタンクローリ１の部分拡大上面図である。なお、図１及び図２では、図面を簡素化するために、タンクローリ１の一部の図示を省略している。
【００１７】
図１に示すように、タンクローリ１は、複数の車輪２と、それら複数の車輪２に支持されるシャシフレーム３と、そのシャシフレーム３にサブフレーム６を介して架装されると共に液化ガス（例えば、ＬＰガス）を積載するための円筒状のタンク４と、スコップＳを固定するための固定具５と、を備える車両として構成される。
【００１８】
シャシフレーム３は、タンクローリ１の前後方向に沿って延設されるフレームであり、タンクローリ１の左右方向で所定間隔を隔てて一対が対向配置される。シャシフレーム３の前端には、運転席であるキャブ３０が配設され、シャシフレーム３の側面には、サイドガード３１及び弁計器箱３２が配設される。
【００１９】
サイドガード３１は、歩行者や自転車等がシャシフレーム３の下方に巻き込まれるのを防止するための巻込防止装置である。弁計器箱３２は、液化ガスの荷役作業時に操作される操作装置や、荷役作業時にホースが接続される接続口、流量計、及び、圧力計等が収容される直方体状のケースである。
【００２０】
図２に示すように、サイドガード３１は、一対の第１フレーム３１ａと、それら一対の第１フレーム３１ａどうしを接続する複数（本実施形態では、３本）の第２フレーム３１ｂと、を備える。
【００２１】
第１フレーム３１ａは、シャシフレーム３から車両側方に向けて延出され（図２（ｂ）参照）、その延出先端部に第２フレーム３１ｂが連結される。第１フレーム３１ａは、タンクローリ１の前後方向で所定間隔を隔てて配設され、一対の第１フレーム３１ａに架設される態様でスコップＳが固定される。
【００２２】
スコップＳは、雪等をすくうための刃として構成されるさじ部Ｓ１と、持ち手として構成される握り部Ｓ２と、それらさじ部Ｓ１及び握り部Ｓ２をスコップＳの長手方向で接続する軸部Ｓ３と、を備えるスコップ（ショベル）である。このスコップＳは、固定具５によって第１フレーム３１ａに固定される。
【００２３】
固定具５は、さじ部Ｓ１を挿入するための被挿入部材５０と、握り部Ｓ２を保持するための保持部材６０と、それら被挿入部材５０及び保持部材６０を支持する支持部材７０と、その支持部材７０をサイドガード３１に固定するための一対のブラケット８０と、を備える。
【００２４】
ブラケット８０は、上下に延びる断面Ｌ字状の部材であり、Ｕ字金具によって一対の第１フレーム３１ａのそれぞれに固定される。ブラケット８０の上端には、支持部材７０を固定するための平板状の固定板８１が取り付けられる。固定板８１は、第１フレーム３１ａよりも上方に位置し、その上端面は平坦面として構成される。一対のブラケット８０に取り付けられる固定板８１の上端面は、それぞれが略同一平面上に位置しており、それら一対の固定板８１の上端面が請求項に記載される「固定面」に相当する。
【００２５】
支持部材７０は、断面コ字状の部材であり、固定板８１の上端面にボルト及びナットによって締結固定されることにより一対のブラケット８０に架設される態様で配設され、その支持部材７０の上面に被挿入部材５０及び保持部材６０が固定される。よって、一対のブラケット８０（第１フレーム３１ａ）が所定間隔を隔てて配設される（スコップＳを固定するための固定面が非連続である）場合であっても、支持部材７０によって被挿入部材５０および保持部材６０を一対のブラケット８０に固定することができる。
【００２６】
支持部材７０の上面には貫通孔７１が形成され、貫通孔７１は、支持部材７０の長手方向に複数並設される。この貫通孔７１は、保持部材６０を固定するための孔である。
【００２７】
保持部材６０と被挿入部材５０との間における支持部材７０の上面には、スコップＳの軸部Ｓ３に巻回するためのバンド７２と、そのバンド７２を係止させるための係止部材７３とが設けられる。バンド７２は、被挿入部材５０及び保持部材６０に保持されたスコップＳの仕上げの固定を行うための帯状体（例えば、ゴム等からなるもの）であり、スコップＳの軸部Ｓ３に巻回されたバンド７２が係止部材７３に係止される。
【００２８】
係止部材７３は、支持部材７０の左右方向に突出される板状体である。係止部材７３は、支持部材７０の長手方向に複数（本実施形態では、２個）配設され、それら複数の係止部材７３のそれぞれにバンド７２が設けられる。
【００２９】
次いで、図３を参照して、固定具５の詳細構成について説明する。図３（ａ）は、図２（ａ）のＩＩＩａ−ＩＩＩａ線におけるタンクローリ１の部分拡大断面図であり、図３（ｂ）は、図２（ａ）のＩＩＩｂ部分を拡大した固定具５の部分拡大側面図である。なお、図面を簡素化するために、図３では、タンクローリ１の一部の図示を省略し、図３（ａ）では、スコップＳも図示を省略している。
【００３０】
図３（ａ）に示すように、第１フレーム３１ａは、上下一対の２本のフレームから構成され、それら２本のフレームのそれぞれにブラケット８０が固定される。上述した通り、支持部材７０は断面コ字状であり、その上面に被挿入部材５０が溶接によって固定される。
【００３１】
なお、以下の説明において、支持部材７０の長手方向一端側を単に「一端側」と記載し、それとは反対側を「他端側」と記載して説明する。被挿入部材５０は、長方形の枠状に形成され、その内周側にスコップＳのさじ部Ｓ１（図２参照）を挿通可能な空間が形成される。被挿入部材５０は、その内周側の空間の開放部分を支持部材７０の長手方向に向ける姿勢で配設され、一端側からさじ部Ｓ１を被挿入部材５０に挿入することができる。
【００３２】
図３（ｂ）に示すように、スコップＳの握り部Ｓ２を保持する保持部材６０は、握り部Ｓ２を取り囲む態様で保持する保持部６１と、その保持部６１の支持部材７０側（固定面側）の端部に連設されると共に一端側（図３（ｂ）の右側）に延びる被固定部６２と、その被固定部６２に蝶番６３によって軸支される開閉部６４と、その開閉部６４及び保持部６１の上面に配設されるキャッチクリップ６５と、を備える。
【００３３】
保持部６１は、断面コ字状の板状体である。被固定部６２は、保持部材６０を支持部材７０に固定するための部位であり、保持部６１に連設される板状体として構成される。即ち、保持部６１及び被固定部６２は、１枚の板状体を曲げ加工することで形成され、実質的に１部品から構成されるが、説明の便宜上、異なる名称を付している。
【００３４】
被固定部６２には２個の貫通孔（図示せず）が支持部材７０の長手方向に並設される。それら２個の貫通孔の並設間隔は、支持部材７０の貫通孔７１（図２（ｂ）参照）の並設間隔と同一に設定され、被固定部６２の貫通孔と、支持部材７０の貫通孔７１とにボルトＢを挿通してナット（図示せず）を螺着することで支持部材７０に被固定部６２が固定される。
【００３５】
支持部材７０には、その長手方向において複数（例えば、３個以上）の貫通孔７１が並設されるので、被固定部６２の固定位置を支持部材７０の長手方向で変化させることができる。即ち、被固定部６２の固定位置を変化させることにより、支持部材７０の長手方向における被挿入部材５０と保持部材６０との間隔を可変に構成することができる。これにより、スコップＳの長さに対応した位置に保持部材６０を配設することができるので、ユーザの要望に応じて様々なスコップＳを固定具５によって保持することができる。
【００３６】
被固定部６２は、その一端側が屈曲されることで上方に向けて突出する突出部６２ａが形成され、その突出部６２ａの先端に蝶番６３によって開閉部６４が軸支される。蝶番６３は、握り部Ｓ２の軸方向（図３（ｂ）の紙面垂直方向）に軸を向ける姿勢で配設され、かかる軸周りに開閉部６４が回転することにより、保持部６１の保持空間を開閉部６４によって開閉することができる。なお、以下の説明において、開閉部６４の開閉動作に伴い、開閉部６４が開放されている状態を「開閉部６４の開放状態」、閉鎖している状態を「開閉部６４の閉鎖状態」と記載して説明する。
【００３７】
開閉部６４は、その閉鎖状態において被固定部６２の上面から上方に延びると共に保持部６１の一端側の開放部分を閉鎖する第１壁部６４ａと、その第１壁部６４ａの上端から一端側に延びる第２壁部６４ｂと、その第２壁部６４ｂの一端側から被固定部６２側に延びると共に蝶番６３に軸支される第３壁部６４ｃと、を備え、断面コ字状に形成される。
【００３８】
開閉部６４の閉鎖状態において、保持部６１の他端側の壁部と第１壁部６４ａとの対向間隔や、上下で対向する保持部６１の一対の壁部どうしの対向間隔は、スコップＳの握り部Ｓ２の直径よりも若干（例えば、１０ｍｍ〜３０ｍｍ）大きい寸法に設定されている。即ち、開閉部６４の閉鎖状態で保持部６１と第１壁部６４ａとによって取り囲まれる保持空間は、握り部Ｓ２の直径よりも大きい寸法で形成される。
【００３９】
また、開閉部６４の閉鎖状態においては、保持部６１の上面と、第２壁部６４ｂの上面とが略面一となっており、それら保持部６１及び第２壁部６４ｂの上面にキャッチクリップ６５が配設される。即ち、開閉部６４の閉鎖状態において第２壁部６４ｂが第１壁部６４ａによって支持されることにより、保持部６１の上面と第２壁部６４ａの上面とを面一にし易くできるので、保持部６１の上面と第２壁部６４ａの上面とを利用してキャッチクリップ６５を配設することができる。
【００４０】
キャッチクリップ６５は、保持部６１の上面に固定されるフック６５ａと、そのフック６５ａに係合されると共に第２壁部６４ｂの上面に固定される係合部６５ｂと、を備えるアジャストファスナー（パッチン錠）であり、公知の構成が採用可能であるのでその詳細な説明を省略する。フック６５ａと係合部６５ｂとを係合させることで開閉部６４が閉鎖状態でロックされる。また、その係合を解除することで開閉部６４の開閉動作が可能となり、開閉部６４の閉鎖状態を解除することができる。また、上述した通り、開閉部６４の閉鎖状態において第２壁部６４ｂが第１壁部６４ａによって支持される（第１壁部６４ａが被固定部６２に当接することで開閉部６４の回転が規制される）ので、第２壁部６４ｂに配設される係合部６５ｂを容易に操作することができる。
【００４１】
次いで、図４を参照して、スコップＳの固定方法について説明する。図４（ａ）は、スコップＳのさじ部Ｓ１を被挿入部材５０に挿入した状態を示す固定具５の側面図であり、図４（ｂ）は、スコップＳの握り部Ｓ２を保持部材６０に保持した状態を示す固定具５の側面図である。なお、図４では、図面を簡素化するために、固定具５の一部の図示を省略している。
【００４２】
図４（ａ）に示すように、スコップＳを固定具５に固定する場合、被挿入部材５０にスコップＳのさじ部Ｓ１を挿入する（矢印Ａ１参照）。この時、開閉部６４を開放状態にしておくことで、保持部６１の他端側（被挿入部材５０側）に向けて握り部Ｓ２を挿入することにより（矢印Ａ２参照）、保持部６１の保持空間に握り部Ｓ２を収容することができる。
【００４３】
即ち、スコップＳのさじ部Ｓ１を被挿入部材５０に挿入する方向と、握り部Ｓ２を保持部６１に挿入する方向とを略同一の方向とすることで、被挿入部材５０および保持部材６０へのスコップＳの固定を容易に行うことができる。
【００４４】
被挿入部材５０にさじ部Ｓ１が挿入された状態では、さじ部Ｓ１の先端が被挿入部材５０の他端側から露出するが、支持部材７０の他端に被挿入部材５０が配設されるので、さじ部Ｓ１の先端が支持部材７０に接触することを抑制できる。よって、さじ部Ｓ１の先端（刃先）に傷が生じることを抑制できる。
【００４５】
図４（ｂ）に示すように、保持部６１の保持空間に握り部Ｓ２を収容した状態で開閉部６４を閉鎖状態にし、キャッチクリップ６５によってロックすることにより、保持部材６０に握り部Ｓ２が保持固定される。これにより、保持部６１から握り部Ｓ２が脱落することを抑制できる。
【００４６】
このように、本実施形態の固定具５によれば、様々な直径（形状）の握り部を保持部材６０によって保持することができるので、スコップＳのサイズや形状に関するユーザの要望に対応することができる。更に、開閉部６４を開放状態にして握り部Ｓ２を着脱できるので、力を入れて握り部Ｓ２を着脱することを不要にできる。よって、例えば、握り部Ｓ２の着脱時の勢いによってスコップＳがタンク４に衝突することを抑制できるので、タンク４に傷が生じることを抑制できる。
【００４７】
この一方で、保持部６１の保持空間が握り部Ｓ２の直径より大きい寸法で形成されることにより、握り部Ｓ２の周囲には隙間が形成される。よって、例えば、タンクローリ１の走行時の振動等によって握り部Ｓ２がガタつく（保持部６１や開閉部６４に接触する）ことにより、握り部Ｓ２に傷が生じるおそれがある。
【００４８】
これに対して、本実施形態では、被挿入部材５０と保持部材６０との間における支持部材７０の上面に、帯状のバンド７２と、そのバンド７２を係止させるための係止部材７３とが設けられている。スコップＳの軸部Ｓ３にバンド７２を巻回させつつ係止部材７３にバンド７２を係止させることにより、支持部材７０に軸部Ｓ３を固定することができる（図２参照）。これにより、例えば、タンクローリ１の走行等で振動が生じても、保持空間内で握り部Ｓ２がガタつくことを抑制できるので、握り部Ｓ２に傷が生じることを抑制できる。
【００４９】
また、被固定部６２が保持空間の外方側に位置するので、保持部材６０を支持部材７０に固定するためのボルトＢ（図３（ｂ）参照）を保持空間の外部に配設することができる。これにより、ボルトＢが握り部Ｓ２に接触することを抑制できるので、握り部Ｓ２に傷が生じることを抑制できる。
【００５０】
ここで、単に保持部６１の保持空間の外部にボルトＢを配設することを目的とするのであれば、例えば、被固定部を保持部６１の他端側（図３（ｂ）の左側）や、側方側（図３（ｂ）の紙面垂直方向奥側や手前側）に設ける構成でも良い。しかしながら、そのような構成では、開閉部６４を支持部材７０に（固定面側に）直接軸支する必要があるため、保持部６１及び被固定部の組付けと開閉部６４の組付けとを別々に行わなければならない。また、そのような被固定部に加え、開閉部６４を軸支するための部材を別途設けて保持部６１に連設させる構成では、保持部材６０が大型化する。
【００５１】
これに対して、本実施形態では、断面コ字状に形成される保持部６１の一端から後方側に被固定部６２が延び、その被固定部６２に開閉部６４が軸支されるので、保持部材６０を支持部材７０に固定する機能と、開閉部６４を軸支する機能とを被固定部６２に兼用させることができる。よって、開閉部６４を軸支するための部材を別途設ける場合に比べ、保持部材６０を小型化できる。
【００５２】
また、開閉部６４が被固定部６２に軸支されることにより、保持部６１、被固定部６２、開閉部６４、及び、キャッチクリップ６５をユニット化することができる。これにより、そのユニット（保持部材６０）を予め組み立てた状態で支持部材７０に固定することができるので、保持部材６０を支持部材７０に容易に固定することができる。
【００５３】
また、被固定部６２の一端側に位置する突出部６２ａに第３壁部６４ｃが軸支され、ボルトＢを挿通させる貫通孔（図示せず）が突出部６２ａよりも他端側に形成されるので、開閉部６４の閉鎖状態においてボルトＢを断面コ字状の開閉部６４（第１〜第３壁部６４ａ〜６４ｃ）によって取り囲むことができる。よって、例えば、雨水等でボルトＢが腐食することや、外部からの衝撃によってボルトＢが破損することを抑制できる。
【００５４】
また、蝶番６３や係合部６５ｂを固定するための部材（本実施形態では、ボルトやナット）も同様に、開閉部６４によって取り囲まれる空間内に設けられる。これにより、蝶番６３や係合部６５ｂを固定するための部材を保持空間側に設けることを不要にできるので、かかる部材がスコップＳの握り部Ｓ２に接触することを抑制できる。よって、握り部Ｓ２に傷が生じることを抑制できる。
【００５５】
また、本実施形態では、開閉部６４の第３壁部６４ｃが被固定部６２の一端側で軸支されるので、第１壁部６４ａの回転軸を被固定部６２の一端側に位置させることができる。即ち、第１壁部６４ａを挟んで保持空間とは反対側に第１壁部６４ａの回転軸を位置させることができるので、握り部Ｓ２が当接して第１壁部６４ａが回転した場合、その第１壁部６４ａの回転に握り部Ｓ２を干渉させることができる。
【００５６】
これにより、例えば、キャッチクリップ６５によるロックが解除された状態でタンクローリ１が走行し、握り部Ｓ２が第１壁部６４ａに向けて変位しても、開閉部６４（第１壁部６４ａ）の閉鎖状態が解除されることを抑制できる。よって、保持部材６０から握り部Ｓ２が抜け落ちることを抑制できる。
【００５７】
更に、被固定部６２から上方に突出する突出部６２ａに第３壁部６４ｃが軸支されるので、支持部材７０から所定間隔を隔てた位置で第３壁部６４ｃを軸支することができる。これにより、スコップＳの握り部Ｓ２が変位して第１壁部６４ａに当接しても、その当接による力が第１壁部６４ａの回転方向に作用することを抑制できるので、保持部材６０から握り部Ｓ２が抜け落ちることをより効果的に抑制できる。なお、突出部６２ａの突出寸法は、第１壁部６４ａの回転軸（蝶番６３の軸）が握り部Ｓ２の半径よりも長く設定されることが好ましい。これにより、握り部Ｓ２の当接による力が第１壁部６４ａの回転方向（開閉部６４の閉鎖状態を解除する回転方向）に作用することをより効果的に抑制できる。
【００５８】
次いで、図５を参照して、第２実施形態について説明する。第１実施形態では、固定具５がサイドガード３１に固定され、開閉部６４が断面コ字状に形成される場合を説明したが、第２実施形態では、固定具２０５が弁計器箱３２に固定され、開閉部２６４が平板状に形成される場合について説明する。なお、上述した第１実施形態と同一の部分には同一の符号を付してその詳細な説明を省略する。
【００５９】
図５（ａ）は、第２実施形態におけるタンクローリ２０１の部分拡大側面図であり、図５（ｂ）は、スコップＳの握り部Ｓ２を保持空間に挿入する様子を示す保持部材２６０の部分拡大側面図である。なお、図５では、図面を簡素化するために、タンクローリ２０１の一部の図示を省略している。
【００６０】
図５（ａ）に示すように、タンクローリ２０１の固定具２０５は、弁計器箱３２の側面（タンクローリ２０１の前方側（図５（ａ）の左側）に位置する面）に固定される。よって、本実施形態では、弁計器箱３２の側面が請求項に記載される「固定面」に相当する。
【００６１】
支持部材７０の上下方向における寸法は、弁計器箱３２の上下方向における寸法よりも小さく設定され、その支持部材７０の下端部に被挿入部材５０が配設される。これにより、スコップＳのさじ部Ｓ１の先端が被挿入部材５０の下端から露出される場合でも、支持部材７０が所定の厚み（さじ部Ｓ１の刃先が弁計器箱３２の側面に接触しない程度の厚み）を有しているので、さじ部Ｓ１の先端を弁計器箱３２の側面から離間させた状態でスコップＳを保持することができる。よって、さじ部Ｓ１の先端が支持部材７０や弁計器箱３２に接触することを抑制できるので、さじ部Ｓ１の先端（刃先）又は弁計器箱３２に傷が生じることを抑制できる。
【００６２】
保持部材２６０は、握り部Ｓ２を取り囲む態様で保持する保持部２６１と、その保持部２６１の支持部材７０側（固定面側）の端部（一端）に連設されると共に保持部材２６０の一端側（図５（ａ）の上側）に延びる被固定部２６２と、その被固定部２６２に蝶番６３によって軸支される開閉部２６４と、その開閉部２６４の閉鎖状態をロックするための蝶ねじ２６５と、を備える。
【００６３】
保持部２６１は、一端側が開放される断面コ字状の板状体である。保持部２６１の前面側の部位を構成する壁部の上端は、支持部材７０側とは反対側に屈曲されることで屈曲部２６１ａが形成される。屈曲部２６１ａには上下に貫通するめねじ孔（図示せず）が形成される。
【００６４】
被固定部２６２は、突出部６２ａが省略される点を除き、第１実施形態の被固定部６２と同一の構成とされる。開閉部２６４は、ボルトＢよりも保持部２６１側で蝶番６３によって被固定部２６２に軸支される。開閉部２６４は、保持部２６１の上端側（一端側）の開放部分を開閉する板状体であり、その前端側の部位が保持部２６１の屈曲部２６１ａに当接（面接触）することで保持部２６１の保持空間の一端側が閉鎖される。
【００６５】
屈曲部２６１ａのめねじ孔に連通されるめねじ孔（図示せず）が開閉部２６４に形成され、それら屈曲部２６１ａ及び開閉部２６４のめねじ孔に蝶ねじ２６５が螺着されることにより、開閉部２６４が閉鎖状態でロックされる。なお、本実施形態では、屈曲部２６１ａ及び開閉部２６４のそれぞれにめねじ孔が形成されるが、少なくとも一方にめねじ孔を形成し、他方は貫通孔でも良い。
【００６６】
図５（ｂ）に示すように、スコップＳを固定具２０５に固定する場合、被挿入部材５０にスコップＳのさじ部Ｓ１を挿入する。この時、開閉部２６４を開放状態にしておくことで、さじ部Ｓ１を被挿入部材５０に挿入する方向と、握り部Ｓ２を保持部２６１に挿入する方向（矢印Ａ３参照）とを略同一の方向とすることができる。
【００６７】
更に、さじ部Ｓ１や握り部Ｓ２の挿入方向が重力方向となるので、被挿入部材５０および保持部材２６０にスコップＳを容易に挿入することができる。また、さじ部Ｓ１や握り部Ｓ２の挿入方向が重力方向となるので、タンクローリ２０１の走行時等に振動が生じても、被挿入部材５０や保持部材２６０から握り部Ｓ２が抜け落ちることを抑制できる。
【００６８】
開閉部２６４の閉鎖状態において保持部２６１と開閉部２６４とによって取り囲まれる保持空間は、握り部Ｓ２の直径よりも大きい寸法で形成されているので、第１実施形態の固定具５と同様、様々な直径（形状）の握り部を保持部材２６０によって保持することができる。よって、スコップＳのサイズや形状に関するユーザの要望に対応することができると共に、力を入れて握り部Ｓ２を着脱することを不要にできる。
【００６９】
また、断面コ字状に形成される保持部２６１の一端から上方側に被固定部２６２が延び、その被固定部２６２に開閉部２６４が軸支されるので、保持部材３６０を支持部材７０に固定する機能と、開閉部２６４を軸支する機能とを被固定部２６２に兼用させることができる。また、開閉部２６４が被固定部２６２に軸支されることにより、保持部２６１、被固定部２６２、開閉部２６４をユニット化することができる。よって、保持部材２６０を支持部材７０に容易に固定することができる。
【００７０】
また、板状体からなる開閉部２６４の支持部材７０側（固定面側）の端部が被固定部２６２に直接軸支されるので、蝶ねじ２６５によるロックを解除した状態で保持部２６１から握り部Ｓ２を取り出すことにより、握り部Ｓ２を開閉部２６４に当接させて開閉部２６４を回転させることができる。これにより、保持部２６１から握り部Ｓ２を取り出すことで開閉部２６４の閉鎖状態を解除することができるので、スコップＳを固定具２０５から容易に取り外すことができる。
【００７１】
次いで、図６を参照して、第３実施形態について説明する。第１実施形態および第２実施形態では、保持部６１，２６１が断面コ字状に形成される（一端側のみが開放される）場合を説明したが、第３実施形態では、保持部３６１が断面Ｌ字状に形成される場合について説明する。なお、上述した第１，２実施形態と同一の部分には同一の符号を付してその詳細な説明を省略する。
【００７２】
図６（ａ）は、第３実施形態における固定具３０５の部分拡大側面図であり、図６（ｂ）は、スコップＳの握り部Ｓ２を保持空間に挿入する様子を示す固定具３０５の部分拡大側面図である。なお、図６では、図面を簡素化するために、タンクローリの一部の図示を省略している。
【００７３】
図６（ａ）に示すように、固定具３０５の保持部材３６０は、握り部Ｓ２の前端側および下端側を取り囲む保持部３６１と、その保持部３６１の支持部材７０側（固定面側）の壁部に連設されると共に後端側（一端側）に延びる被固定部２６２と、その被固定部２６２に蝶番６３によって軸支される開閉部３６４と、その開閉部３６４及び保持部３６１に配設されるキャッチクリップ６５と、を備える。
【００７４】
保持部３６１及び開閉部３６４は、断面Ｌ字状の板状体であり、それら保持部３６１及び開閉部３６４の屈曲部分を対角方向で対向させることで矩形の保持空間が形成される。キャッチクリップ６５のフック６５ａは、保持部３６１の他端側の外面に固定され、係合部６５ｂは、開閉部３６４の閉鎖状態において保持空間の上方側に位置する開閉部３６４（壁部）の外面に固定される。
【００７５】
開閉部３６４は、ボルトＢよりも保持部３６１側で蝶番６３によって被固定部２６２に軸支される。蝶番６３に軸支される側とは反対側の開閉部３６４の端部が、保持部３６１の他端側の壁部の上端面に当接することで保持部３６１の保持空間が閉鎖される。
【００７６】
図６（ｂ）に示すように、スコップＳを固定具３０５に固定する場合、被挿入部材５０（図２参照）にスコップＳのさじ部Ｓ１を挿入する。この時、開閉部３６４を開放状態にしておくことで、さじ部Ｓ１を被挿入部材５０に挿入する方向と、握り部Ｓ２を保持部３６１に挿入する方向（矢印Ａ４参照）とを略同一の方向とすることができる。よって、被挿入部材５０及び保持部材３６０にスコップＳを容易に挿入することができる。
【００７７】
開閉部３６４の閉鎖状態において保持部３６１と開閉部３６４とによって取り囲まれる保持空間は、握り部Ｓ２の直径よりも大きい寸法で形成されているので、第１実施形態の固定具５と同様、様々な直径（形状）の握り部を保持部材３６０によって保持することができる。よって、スコップＳのサイズや形状に関するユーザの要望に対応することができると共に、力を入れて握り部Ｓ２を着脱することを不要にできる。
【００７８】
また、断面Ｌ字状に形成される保持部３６１の一端から後方側に被固定部２６２が延び、その被固定部２６２に開閉部３６４が軸支されるので、保持部材３６０を支持部材７０に固定する機能と、開閉部３６４を軸支する機能とを被固定部２６２に兼用させることができる。また、開閉部３６４が被固定部２６２に軸支されることにより、保持部３６１、被固定部２６２、開閉部３６４、及び、キャッチクリップ６５をユニット化することができる。よって、保持部材３６０を支持部材７０に容易に固定することができる。
【００７９】
また、断面Ｌ字状に形成される開閉部３６４の下端側の部位が被固定部２６２に直接軸支されるので、キャッチクリップ６５によるロックを解除した状態で保持部３６１から握り部Ｓ２を取り出すことにより、握り部Ｓ２を開閉部３６４に当接させて開閉部３６４を回転させることができる。これにより、保持部３６１から握り部Ｓ２を取り出すことで開閉部３６４の閉鎖状態を解除することができるので、スコップＳを固定具３０５から容易に取り外すことができる。
【００８０】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【００８１】
上記各実施の形態における固定具５，２０５，３０５の一部または全部を、他の実施の形態における固定具５，２０５，３０５の一部または全部と組み合わせてタンクローリを構成しても良い。
【００８２】
上記各実施形態では、被挿入部材５０の挿入空間の寸法についての説明を省略したが、被挿入部材５０の挿入空間の寸法は、スコップＳのさじ部Ｓ１の形状やサイズによって適宜設定できる。よって、例えば、さじ部Ｓ１の肩部側（握り部Ｓ２側）の幅寸法よりもさじ部Ｓ１の先端側（刃先側）の幅寸法が大きい場合、さじ部Ｓ１の先端側の幅寸法よりも大きい寸法で被挿入部材５０の挿入空間の幅を設定しても良い。
【００８３】
即ち、さじ部Ｓ１の幅寸法よりも被挿入部材５０の挿入空間の幅寸法を大きくしても、保持部材６０，２６０，３６０（握り部Ｓ２）回りにスコップＳが回転することを被挿入部材５０によって規制できるので、被挿入部材５０及び保持部材６０，２６０，３６０によってスコップＳを保持することができる。このように、被挿入部材５０によって単にスコップＳの回転を規制する（さじ部Ｓ１の先端と被挿入部材５０とを非接触にする）ように構成すれば、さじ部Ｓ１の刃先に傷が生じることを抑制できる。
【００８４】
上記各実施形態では、被挿入部材５０が矩形の枠状に形成される場合について説明したが、必ずしもこれに限られるものではない。例えば、枠状の被挿入部材５０の一部を適宜湾曲させることや、直線状や曲線状の部位を組み合わせることにより、さじ部Ｓ１の外形形状に対応させた枠状に形成しても良い。
【００８５】
上記各実施形態では、保持部６１，２６１，３６１が断面コ字状やＬ字状に形成され、保持空間の一端側が開放される場合や、保持時空間の一端側と、上方側との双方が開放される場合を説明したが、必ずしもこれに限られるものではない。被挿入部材５０にスコップＳのさじ部Ｓ１を挿入しつつ、保持部に握り部Ｓ２を挿入できる構成であれば、保持部の形状は適宜設定できる。
【００８６】
上記各実施形態では、保持部６１，２６１，３６１や開閉部６４，２６４，３６４によって取り囲まれる保持空間が矩形状である場合を説明したが、必ずしもこれに限られるものではない。例えば、保持空間の形状は、三角形状や円形状等、適宜設定できる。
【００８７】
上記各実施形態では、保持部６１，２６１，３６１と被固定部とを１部品（１枚の板状体）から構成する場合を説明したが、必ずしもこれに限られるものではなく、保持部と被固定部とを別部品で構成して溶接等によって連結する構成でも良い。また、保持部６１，２６１，３６１の内部に配設されるボルトＢやリベットによって支持部材７０（固定面）に固定する構成でも良い。
【００８８】
上記各実施形態では、開閉部６４，２６４，３６４の閉鎖状態をロックするロック部の一例として、キャッチクリップ６５や蝶ねじ２６５を例示したが、必ずしもこれに限られるものではない。例えば、開閉部６４，２６４，３６４の閉鎖状態のロックは、公知のロック機構（例えば、南京錠）を採用することが可能である。また、例えば、開閉部（保持部）に対して回転またはスライドするキー部材を開閉部（保持部）に設け、そのキー部材が嵌合可能な凹みや貫通孔から成る嵌合部を保持部（開閉部）に設けることでロックする構成でも良い。
【００８９】
上記各実施形態では、被挿入部材５０や保持部材６０，２６０，３６０が支持部材７０を介してブラケット８０や弁計器箱３２（固定面）に固定される場合を説明したが、必ずしもこれに限られるものではない。例えば、支持部材７０を省略し、ブラケット８０や弁計器箱３２に被挿入部材５０や保持部材６０，２６０，３６０を直接固定しても良い。
【００９０】
上記各実施形態では、保持部材６０，２６０，３６０を固定面側（支持部材７０）に連結させるための連結部材の一例として、ボルトＢを例示したが、必ずしもこれに限られるものではない。例えば、保持部材６０，２６０，３６０の固定面側（支持部材７０）への連結をリベットや溶接によって行うことは当然可能である。
【００９１】
上記各実施形態では、支持部材７０に複数の貫通孔７１を形成することで保持部材６０，２６０，３６０の固定位置を可変に構成する場合を説明したが、必ずしもこれに限られるものではない。例えば、被挿入部材５０の固定位置を可変に構成しても良いし、テレスコピック機構によって支持部材の長さを可変に構成しても良い。
【００９２】
上記各実施形態では、被挿入部材５０、保持部材６０，２６０，３６０、支持部材７０、係止部材７３、及び、ブラケット８０を金属材料で形成することを想定しているが、必ずしもこれに限られるものではない。例えば、それらの各部材を他の材料（例えば、樹脂材料等）を用いて形成することは当然可能である。
【００９３】
上記第１実施形態では、開閉部６４の第３壁部６４ｃが被固定部６２に軸支される場合を説明したが、必ずしもこれに限られるものではない。保持部６１の保持空間を開閉できる構成であれば、開閉部６４を軸支する位置は適宜設定できる。
【００９４】
また、第２，３実施形態においても同様に、保持部２６１（前方側の壁部）の上端部分に開閉部２６４を軸支しても良いし、保持部３６１の上端部分に開閉部３６４を軸支しても良い。この場合には、被固定部２６２を一端側に延長させ、開閉部２６４，３６４の閉鎖状態をロックするためのロック部を配設可能な領域を形成すれば良い。
【符号の説明】
【００９５】
１，２０１                タンクローリ
５，２０５，３０５        固定具
５０                      被挿入部材
６０，２６０，３６０      保持部材
６１，２６１，３６１      保持部
６２，２６２              被固定部
６４，２６４，３６４      開閉部
６４ａ                    第１壁部
６４ｂ                    第２壁部
６４ｃ                    第３壁部
６５                      キャッチクリップ（ロック部）
７０                      支持部材
２６５                    蝶ねじ（ロック部）
Ｓ                        スコップ
Ｓ１                      さじ部
Ｓ２                      握り部
【図１】
2020029107.tif 000003
【図２】
2020029107.tif 000004
【図３】
2020029107.tif 000005
【図４】
2020029107.tif 000006
【図５】
2020029107.tif 000007
【図６】
2020029107.tif 000008